(57)【要約】【課題】シャツめくれ現象が抑制されたロッキング椅子を提供する。【手段】椅子はベース３と座４と背フレーム５と背もたれ６とを有しており、座４の前部はベース３にフロントリンク１８で連結されている。座４と背フレーム５（11）はリアリンク２１で連結されている。前後のリンク１８，２１の規制作用により、座４はロッキングに際して背もたれ６よりも小さい角度で後傾しつつ大きく後退動する。座４と背フレーム５（11）とは、ガイドピン１９とガイド用長穴２０との嵌め合わせによるガイド手段で相対位置が保持されている。簡単な機構ながらロッキングに際して座４は大きく後退動するため、座４と背もたれ６とが離反することに起因したシャツめくれを抑制できる。【選択図】図４
2010099102.tif 000002
【特許請求の範囲】
【請求項１】
人が腰掛ける座と、着座した人が凭れ掛かり得る背もたれと、前記座の下方に配置されているベースと、前記ベースに後傾動自在に連結されていると共に背もたれが設けられた背フレームとを備えており、前記背もたれと背フレームとが一体に後傾するようになっている、という椅子であって、
前記座とベースとを、座がベースに対して後退しつつ後傾するようにフロントリンクで連結されており、更に、前記座と背フレームとは、背フレームが後傾すると座は背フレームより少ない角度で後傾するようにリアリンクで連結されており、更に、前記座と背フレームとは、座だけが単独で動くことを阻止しつつ座と背フレームとの相対動が許容されるようにガイド手段で連結されている、
ロッキング椅子。
【請求項２】
前記ガイド手段は、背フレームに設けたガイド長穴との座に設けたピンとの嵌め合わせになっている、
請求項１に記載したロッキング椅子。
【請求項３】
前記フロントリンクは背フレームの回動支点の手前に配置され、前記リアリンクは背フレームの回動支点の後ろ側に配置されている、
請求項１又は２に記載したロッキング椅子。
【発明の詳細な説明】
【技術分野】
【０００１】
本願発明は、背もたれの後傾動に連動して座が後退及び後傾するタイプのロッキング機能に関するものである。
【背景技術】
【０００２】
背もたれの後傾動に連動して座が後退及び後傾する椅子は事務用椅子を初めとして広く使用されており、座を背もたれに連動させる機構についても様々な構成が提案され或いは実施されている。例えば特許文献１には、ベースに後傾動自在に連結された背フレームに背もたれを取り付けた方式の椅子において、座の前部に下向き突部を設けてこの下向き突部を座に連結することにより、座が僅かに後退しつつ後傾することを許容し、更に、座と背フレームとをリンクで連結することが開示されている。
【０００３】
他方、本願発明者の発明に係る特許文献２には、座を第１リンクと第２リンクとの前後のリンクでベースに連結することで座の後退動と後傾動とを許容すると共に、座と背フレームとを第３リンクで連結することで座と背フレーム（背もたれ）とを連動させることが開示されている。
【特許文献１】特開２００３−２５０６５１号公報
【特許文献２】米国特許第６７０９０５７号明細書
【発明の開示】
【発明が解決しようとする課題】
【０００４】
背もたれの後傾動に連動して座を後退及び後傾させることの目的の１つに、ロッキング時に座と背もたれとの間隔が広がることをできるだけ防止して背ずれ又はシャツ捲れの現象を抑制することがある。すなわち、ロッキングに際して座と背もたれとが相対的に離反すると、着座者の背中が背もたれに対して下向きに滑って、シャツが捲れるような現象を呈して人に違和感や不快感を与えることであり、そこで、ロッキングに際して座と背もたれとの相対距離をなるべく変化させないように、座を後退させつつ後傾させているのである。
【０００５】
そこで特許文献１，２について検討するに、特許文献１は本質的に座の前部をベースに連結しているものであり、非ロッキング時とロッキング時とで座の前部の高さと前後位置とは殆ど違いはないため、座を背もたれに追従させるという機能はあまり期待できない。従って、背ずれ又はシャツ捲れ現象の防止という効果はあまり期待できないと言える。
【０００６】
他方、特許文献２では第１リンクと第２リンクとで平行リンク機構に近いリンク機構が構成されているため、第１リンクと第２リンクとの長さや後傾角度を選択することでロッキング時に座を大きく後退させることができ、従って、背ずれ又はシャツ捲れ現象を防止する機能に優れていると言える。また、リンクを使用した連動機構は構造が簡単であるという利点も有している。
【０００７】
本願発明は、特許文献２のように座をリンクでベースに連結する方式を踏襲しつつ、椅子の機能が的確に発揮されるように改良せんとするものである。
【課題を解決するための手段】
【０００８】
本願発明が対象とするロッキング椅子は、人が腰掛ける座と、着座した人が凭れ掛かり得る背もたれと、前記座の下方に配置されているベースと、前記ベースに後傾動自在に連結されていると共に背もたれが設けられた背フレームとを備えており、前記背もたれと背フレームとが一体に後傾するようになっている。なお、背フレームに関して「背もたれが設けられた」とは、背フレームが背もたれの一部を構成している場合と、背もたれと背フレームとが別部材になっている場合との両方を含んでいる。
【０００９】
そして、請求項１の発明では、前記座とベースとを、座がベースに対して後退しつつ後傾するようにフロントリンクで連結されており、更に、前記座と背フレームとは、背フレームが後傾すると座は背フレームより少ない角度で後傾するようにリアリンクで連結されており、更に、前記座と背フレームとは、座だけが単独で動くことを阻止しつつ座と背フレームとの相対動が許容されるようにガイド手段で連結されている。なお、フロントリンクとその機能からして座とベースとのそれぞれに対して回動し、また、リアリンクもその機能からして座と背フレームとのそれぞれに対して回動する。
【００１０】
請求項２の発明に係るロッキング椅子は、請求項１において、前記ガイド手段は、背フレームに設けたガイド長穴との座に設けたピンとの嵌め合わせになっている。また、請求項３の発明に係るロッキング椅子は、前記フロントリンクは背フレームの回動支点の手前に配置され、前記リアリンクは背フレームの回動支点の後ろ側に配置されている。
【００１１】
本願発明では、座は上下に重なった複数の部材から成っているものも含んでいる。この場合、下層の部材に対して上層の部材が前後位置調節可能に取り付いていてもよい。
【発明の効果】
【００１２】
本願発明では、座はベースと背フレームとにそれぞれリンクで連結されているが、リンクの長さや位置は必要に応じて任意に選定できるため、座を背もたれに追従させて大きく後退させることができ、その結果、ロッキングに際して座と背もたれとが相対的に離れることに起因したいわゆるシャツめくれ現象を防止又は著しく抑制することができる。
【００１３】
そして、座は単独では回動しないようにガイド手段で保持されているため、非ロッキング時とロッキング時とに関係なく座は安定した状態に保持されるが、ガイド手段は座と背フレームとに設けているため、座が大きく後退動することが可能になっている（特許文献２の場合は、座は例えば図１に表示されているリンク８の回動によって動きが規制されるため、ロッキングに際しての座の後退量に限度がある。）。
【００１４】
ガイド手段としては様々の態様を採用できるが、請求項２のようにピンと長穴とのは嵌め合わせを採用すると、長穴はおおよそ前後方向に長く延びる形態になるため、着座者の荷重はピンを介して長穴の内面で安定良く支持されることになり、その結果、座の安定性をより向上させることができる利点がある。また、ガイド手段としてリンクを使用すると座は背フレームに対して前後動しつつ上下動することになるが、ピンと長穴との組み合わせを採用すると、座を背フレームに対して殆ど上下動せずに前後動させることができ、このため座のスムースな動きを実現できる。なお、請求項２とは異なって、ガイド手段として座に長穴を設けて背フレームにピンを設けることも可能である。
【００１５】
背フレームの回動支点とフロントリンクとリアリンクとの位置関係は様々に設定可能であるが、背フレームの回動支点が前に寄り過ぎていると背もたれのロッキング角度を大きくできない一方、背フレームの回動支点が後ろに寄りすぎていると、ロッキングに際して背もたれが過度に後退する傾向を呈して座を追従させるための措置が面倒になる。この点、請求項３のようにフロントリンクとリアリンクとを背フレームの回動支点を挟んだ前後に配置すると、背もたれの後傾角度を適度に保持しつつ座を背もたれの動きに的確に追従させることができて好適である。
【発明を実施するための最良の形態】
【００１６】
次に、本願発明の実施形態を図面に基づいて説明する。本実施形態は、事務用に多用されている回転椅子に適用している。図１〜図１４では第１実施形態を示しており、図１５では第２実施形態を示している。以下、第１実施形態から順に説明する。
【００１７】
(1).第１実施形態の概略
図１は椅子の側面図、図２は一部を省略した背面図、図３は部材を分離した状態での側面図、図４はロッキング状態の概略側面図、図５のうち（Ａ）は一部破断側面図、（Ｂ）は部材を分離した状態での概略背面図、図６のうち（Ａ）は椅子の縦断側面図、（Ｂ）は背もたれ６の下部の縦断側面図、（Ｃ）は背もたれ６の上部の縦断側面図である。まず、これらの図に基づいて椅子の概要を説明する。
【００１８】
図１に示すように、椅子は、主要要素として、脚支柱２を有する脚装置１、脚支柱２の上端に固定されたベース３、ベース３の上方に配置された座４、一部を背もたれ６と成したフレーム装置５、背もたれ６に取付けられたヘッドレスト装置７、座４の左右に配置された肘掛け装置８、を備えている。肘掛け装置８はフレーム装置５に固定されている。但し、肘掛け装置８は本願発明との関係はないので以下においても説明は省略する。なお、肘掛け装置８はオプション品であり、取付けない場合もある。
【００１９】
脚１は放射状に延びる複数本の枝足９を備えており、各枝足９の先端にはキャスタ１０を設けている。脚支柱２は伸縮自在なガスシリンダを使用しており、従って、外筒と内筒とを備えている。背フレーム５は、ベース３の左右両側において前後方向に延びる揺動フレーム１１を備えている。
【００２０】
揺動フレーム１１はその前端部を中心にして後傾するようにベース３に第１軸１２で連結されている。揺動フレーム１１の後部には上向きに延びる背支柱１１ａが一体に形成されており、左右の背支柱１１ａに、背もたれ６の輪郭（周囲）を構成するバックフレーム１３がねじで固定されている。本実施形態では背フレーム５は揺動フレーム１１とバックフレーム１３とで構成されているが、バックフレーム１３は背もたれ６の構成要素でもある。
【００２１】
バックフレーム１３は基本的には縦長の四角形（略台形）に近い形状であり、従って、背もたれ６の左右側部を構成する縦長の左右のサイドメンバー１４と、背もたれ６の上部を構成する略横長（水平状）のアッパーメンバー１５と、背もたれ６の下部を構成する略横長のロアメンバー１６とから成っている。そして、バックフレーム１３にネット状材１７を張ることで背もたれ６が構成されている。
【００２２】
ネット状材１７の取り付け手段としては、図６（Ｂ）（Ｃ）に示すように、バックフレーム１３を構成する各メンバーの外周面に溝４６を形成して、ネット状材１７の縁部に固定した縁部材４５が溝４６に嵌め込んでいる。勿論、他の手段で取り付けることも可能である。
【００２３】
座４の前部とベース３の前部とはフロントリンク１８で連結されており、フロントリンク１８が後傾動することで座４は後退しつつ後傾し得る。また、座４の後部寄りに、揺動フレーム１１に向けて横向き突出した左右のガイドピン１９が設けられている一方、左右揺動フレーム１１の相対向する内側面には、ガイドピン１９がスライド可能に嵌まるガイド用長穴２０が横向きに開口した状態に空いている。ガイドピン１９とガイド用長穴２０とは座４のみが動くことを阻止するガイド手段の一例である。
【００２４】
図３から理解できるように、フロントリンク１８とガイドピン１９とガイド用長穴２０とのガイド作用により、座４は、背もたれ６の後傾動に連動して一緒に後傾及び後退並びに下降する。この場合、ガイド用長穴２０はおおよそ前後方向に延びているため（すなわち、非ロッキング姿勢で側面視傾斜しているものの水平姿勢に近い姿勢に傾斜しているため）、ガイドピン１９はガイド用長穴２０の下内面で滑り難い状態で支持されており、このため、座４は荷重が掛かっても安定した状態に保持されている。なお、言うまでもないが、座４の後傾の度合いは背もたれ６の後傾の度合いよりも小さい。
【００２５】
例えば図３に示すように、椅子は、座４とフレーム装置５とに相対回動可能に連結された左右のリアリンク２１と、左右リアリンク２１の上端部の前面に重なった左右のランバーパッド（スペーサ）２２とを備えている。ランバーパッド２２はネット状材１７の左右側部を裏側から支持している。リアリンク２１は、揺動フレーム１１とほぼ重なった下部２１ａとその後端から上向きに延びる起立部２１ｂとを備えて全体的にはＬ字に近い形状になっており、下部２１ａと起立部２１ｂとが繋がったコーナー部がバックフレーム１３のサイドメンバー１４にピン５１で連結されて、下部２１ａの前端に形成した上向き突起２１ｃが座４の後部にピン４９で連結されている。
【００２６】
リアリンク２１とランバーパッド２２とはネット状材１７のテンション調節手段を構成するもので、背もたれ６が後傾するとリアリンク２１は起立部２１ｂの上部がバックフレーム１３に対して相対的に後傾動し、これにより、ロッキング時にネット状材１７はランバーパッド２２で支持された箇所を中心にして弛むことになる。
【００２７】
ヘッドレスト装置７は、人の頭が当たるヘッドレスト２３と、これが取り付いた左右の支持フレーム２４とを備えており、左右の支持フレーム２４はその上部において横長の補強フレーム２５で連結されている。左右の支持フレーム２４の下部はバックフレーム１３におけるサイドメンバー１４に内側面に重なって枢支部２４ａになっており、枢支部２４ａの上端が左右横長のピン２６でサイドメンバー１４に連結されている。
【００２８】
そして、背もたれ６が後傾すると、リアリンク２１の上端に設けたピン５８でで枢支部２４ａの下端が後方に押され、これによってヘッドレスト２３が背もたれ６に対して相対的に前進する。なお、図４において（Ａ）ではヘッドレスト装置７を表示しているが、（Ｂ）ではヘッドレスト装置７を表示していない。
【００２９】
ロッキング時にヘッドレスト２３が背もたれ６に対して相対的に前進するのは本実施形態の一つの特徴であるが、この特徴により、ロッキング時に人の頭が反り過ぎることを抑制できる。従って、例えばロッキング状態のままで頭を起こすことなくパソコンのディスプレイを楽に見ることができたり、読書に際して本を持ち上げる必要がないといった利点がある。図３や図６から推測できるように、ランバーパッド２２にはリアリンク２１の上部に嵌まる溝５５が形成されており、この溝５５に山形の１つの突起５６が形成されている一方、リアリンクには突起５６が嵌脱する凹所５７を多段に形成している。従って、ランバーパッド２２を段階的に高さ調節することができる。
【００３０】
(2).ロッキング機構の詳細
以下、従前の図に加えて図７以下の図面も参照しつつ各部位の構造や動きを詳述する。まず、ベース３の構造やロッキング機構のような椅子の基本的構造を、図６〜図１０を参照して説明する。図７は座部の一部破断平面図、図８はロッキング用ばねの箇所の部分的な平面図、図９は図７の IX-IX視断面図、図１０は図７の X-X視断面図である。
【００３１】
図６（Ａ）に示すように、ベース３は、上向きに開口した浅い箱状の本体２８とその上面にボルトで固定された下向き開口の蓋２９とで中空に形成されており、図７に示すように平面形状はやや前後長手で後向きに窄まっている（勿論、形状は自由に選択できる。）。脚支柱２は本体２８の後部に嵌着されている。第１軸１２は本体２８と蓋２９とで上下から挟むようになっており、このため、本体２８と蓋２９とには、左右外向きに突出した半割り状軸受け部３０が形成されている。
【００３２】
半割り状軸受け部３０と揺動フレーム１１との間には間隔が空いており、このため、第１支軸１２にはカラー３１を嵌め入れている。第１支軸１２は左右の揺動フレーム１１に相対回転不能に固定されている。
【００３３】
ベース３を構成する本体２８のうち脚支柱２の手前の箇所には下向きの凹所２８ｂが形成されており、この凹所２８ａに略鉛直姿勢の支軸３２をねじ込みによって取付け、支軸３２にロッキング用ばね（コイルばね）３３を上方から嵌め入れている。そして、第１軸１２には、当該第１軸１２から後ろ向きに延びるアーム状のばね押さえ３４を相対回転不能に取り付けている。ばね押さえ３４の先端部は、支軸３２と干渉せずにロッキング用ばね３３に上方から重なるように二股状になっており、背もたれ６はロッキングばね３３に抗して後傾動する。
【００３４】
本実施形態では第１軸１２は円形になっており、そこでばね押さえ３４は溶接やピン止めで第１軸１２に固定されているが、例えば第１軸１２を断面四角形等の角形に形成することでばね押さえ３４と第１軸１２とを相対回転不能に嵌め合わせることも可能である（この点は、第１軸１２と揺動フレーム１１との固定構造についても同様である。）。また、ロッキング用ばねの形態や配置態様も様々に具体化することができる。例えばばね手段としては、ねじりばねや板ばね、或いはトーションバーを使用することも可能である。
【００３５】
ベース３を構成する本体２８の前部には、フロントリンク１８を連結するための左右横長の筒状軸受け部２８ｂが一体に形成されており、この筒状軸受け部２８ｂに挿通した第２軸３５でフロントリンク１８の下部が本体２８に連結されている。なお、筒状軸受け部２８ｂは本体２８の左右両側に分離して設けても良く、第２軸３５を左右別々に分離することも可能である。
【００３６】
例えば図３、図６（Ａ）、図９に示すように、座４は、樹脂製の座受け３６にインナーシェル３７を固定してその上面にクッション３８を張った構造になっている。座受け３６は左右揺動フレーム１１の間に入り込む左右幅であり、下向きの側板３６ａを備えている。そして、座受け３６における左右側板３６ａの前寄り部分に、厚肉のフロント軸受け部３９を一体に形成して、このフロント軸受け部３９にフロントリンク１８の上端を左右横長の第３軸４０でそれぞれ連結している。なお、第３軸４０は１本に連続させることが可能である。
【００３７】
座受け３６には、座インナーシェル３７が人の体圧で沈み込み変形することを許容するための大きな抜き穴４１が空いている（勿論、抜き穴４１は無くても良いし、また、座４にメッシュ構造を採用することも可能である。）。例えば図９では座４はインナーシェル３７と座受け３６と密着した状態に描いているが、実際には、座４とインナーシェル３７と座受け３６との間にはその大部分において隙間が空いている。
【００３８】
座受け３６の左右側板３６ａには、その後端に寄った部分に厚肉状で下向きのリアブラケット４２を一体に形成しており、このリアブラケット４２の下端に前記したガイドガイドピン１９を外向き突設している。他方、図７や図１０に示すように、揺動フレーム１１には、既述のとおり、ガイドガイドピン１９がスライド自在に嵌まるガイド用長穴２０が空いている。揺動フレーム１１はアルミダイキャストのような金属加工品であり、基本的には内側に開口した中空状であって、中空部に補強リブを設けている。
【００３９】
(3).第１実施形態のまとめ
揺動フレーム１１は側面視で水平に対して緩い角度で前傾した姿勢になっているが、例えば図１０に示すように、ガイド用長穴２０は側面視において揺動フレーム１１に対して相対的に若干の角度だけ前傾した姿勢になっている。このような揺動フレーム１１とガイド用長穴２０との傾斜角度の関係により、座４が背もたれ６に連動して後傾・後退・下降するにおいて、人間工学的に違和感のない快適な使用感を得ることができる。
【００４０】
さて、座４のガイド手段としてリンクを使用した場合、リンクの回動角度の変化率と座４の後退量及び下降量の変化率とは比例関係になく、このため、座４が加速度的に下降したり後退したりして動きがスムースでなくなる虞がある。これに対して本実施形態のようにガイドピン１９とガイド用長穴２０とのガイド手段を採用すると、ガイド用長穴２０は直線状に延びているため、ロッキングに際しての座４は揺動フレーム１１の後傾に比例して後退又は後傾するのであり、このため座４は違和感のない動きをする。
【００４１】
更に、ガイド用長穴２０が非ロッキング状態で前傾していることにより、ロッキングに際して背もたれ７の後傾の度合いに対する座４の後傾の度合いが小さくなり、ロッキングに際して身体が屈み勝手になることが防止される。このように、ガイド用長穴２０が直線状に延びていることと前傾していることとにより、ロッキングに際して人間工学的に違和感のない快適な使用感を得ることができるのである。
【００４２】
図１に示すように、非ロッキング状態では、座４は側面視で概ね水平に近い姿勢であって揺動フレーム１１はな後傾姿勢になっている。従って、座５と揺動フレーム１１とはある程度の角度θで交差している。そして、ロッキングすると、背もたれ５の後傾に連動して座４は後傾しつつ後退動するが、フロントリンク１８が回動して座４が全体的に下降するとことと、座４と揺動フレーム１１との相対位置がガイドピン１９とガイド用長穴２０とで規制されていることにより、座４の後傾角度は揺動フレーム１１の後傾角度よりも遥かに小さい。このため、背もたれ５を大きくロッキングできる椅子でありながら、ロッキング時に身体が屈み勝手になることを防止できる。
【００４３】
本実施形態ではリアリンク２１をバックフレーム１３に連結しているが、リアリンク２１は揺動フレーム１１に連結しても良い。ピン５１はビスやリベット等を含む概念であり、また、ピン５１に相当するボス部をバックフレーム１３又は揺動フレーム１１に形成することも可能である。更に、揺動フレーム１とバックフレーム１３とを一体構造とすることも可能である。
【００４４】
なお、フロントリンク１８とリアリンク２１のみしか存在しない場合や、フロントリンク１８とガイド手段１９，２０のみか存在しない場合は、座４は独自に動いて安定性を保持できないが、フロントリンク１８とリアリンク２１とガイド手段１９，２０とが存在してこれらが互いに規制し合っているため、座４は独自に動くことなく背フレーム５及び背もたれ６と連動して動く。
【００４５】
(4).他の実施形態及び参考例
第１実施形態ではリアリンク２１はランバーパッド２２を前後動させる機能を有しているが、図１１に第２実施形態として示すように、リアリンク２１は単に座４と背フレーム５（或いは揺動フレーム１１）とを連結する機能を有しているに過ぎない構成とすることも可能である。
【００４６】
図１２では本願発明に類似した参考例を示している。この参考例は、第１及び第２の実施形態とはリアリンク２１を有しない点で共通しており、第１実施形態と第２実施形態との相違点は、補助リンク１１５で座４とベース３とが連結されている点である。補助リンク６０の上端はガイドピン１９に連結されているが、座４の他の部位に他のピンで連結しても良い。補助リンク１１５をベース３に連結するに当たっては、ピン６１が嵌まる穴を長穴６２とすることにより、座４の後退動を許容している。
【００４７】
(5).その他
本願発明は上記の実施形態の他にも様々に具体化できる。例えば、適用対象は必ずしも回転椅子に限定されるものではなく、例えば劇場用椅子やベンチのような固定式椅子にも適用できる。背もたれは樹脂製の背板（インナーシェル）にクッションを張った方式とすることも可能である。ガイド手段としては、リニア式スライド部材など様々のものを採用できる。
【図面の簡単な説明】
【００４８】
【図１】第１実施形態に係る椅子の側面図である。
【図２】一部を省略した背面図である。
【図３】部材を分離した状態での側面図である。
【図４】ロッキング状態の概略側面図で、（Ａ）はヘッドレスト装置を表示したもので（Ｂ）はヘッドレスト装置を表示していないものである。
【図５】（Ａ）は一部破断側面図、（Ｂ）は部材を分離した状態での概略背面図である。
【図６】（Ａ）は椅子の縦断側面図、（Ｂ）は背もたれの下部の縦断側面図、（Ｃ）は背もたれの上部の縦断側面図である。
【図７】座部の一部破断平面図である。
【図８】ロッキング用ばねの箇所の部分的な平面図である。
【図９】図７の IX-IX視断面図である。
【図１０】図７の X-X視断面図である。
【図１１】第２実施形態を示す図である。
【図１２】参考例を示す図である。
【００４９】
１  脚装置
３  ベース
４  座
５  フレーム装置
６  背もたれ
７  ヘッドレスト装置
１１  背フレームを構成する揺動フレーム
１３  背もたれと背フレームとを構成するバックフレーム
１４  バックフレームのサイドメンバー
１９  ガイド手段を構成するガイドピン
２０  ガイド手段を構成するガイド用長穴
２１  リアリンク
【図１】
2010099102.tif 000003
【図２】
2010099102.tif 000004
【図３】
2010099102.tif 000005
【図４】
2010099102.tif 000006
【図５】
2010099102.tif 000007
【図６】
2010099102.tif 000008
【図７】
2010099102.tif 000009
【図８】
2010099102.tif 000010
【図９】
2010099102.tif 000011
【図１０】
2010099102.tif 000012
【図１１】
2010099102.tif 000013
【図１２】
2010099102.tif 000014